(57)【要約】【課題】絨毯やマット上の繊維状ゴミを十分に捕獲できると共に、巻き付いた繊維状ゴミを容易に除去することができる回転清掃体を提供すること。【解決手段】回転軸部と、該回転軸部の長手方向に設けられた清掃部とを備え、  前記清掃部は、前記回転軸部の軸心方向から見た断面形状が凹形または凸形となるように、複数の異なる清掃部材を組み合わせて構成されてなることを特徴とする回転清掃体。【選択図】図５
2014042581.tif 000002
【特許請求の範囲】
【請求項１】
回転軸部と、該回転軸部の長手方向に設けられた清掃部とを備え、
前記清掃部は、前記回転軸部の軸心方向から見た断面形状が凹形または凸形となるように、複数の異なる清掃部材を組み合わせて構成されてなることを特徴とする回転清掃体。
【請求項２】
前記複数の清掃部材が、ストレートブラシと、ブレードおよび捲縮ブラシの少なくとも一方とを含む請求項１に記載の回転清掃体。
【請求項３】
前記回転軸部の軸心方向から見た断面形状が凹形となるように、前記捲縮ブラシが、一対の前記ストレートブラシ、または前記ブレードと前記ストレートブラシにて挟まれるように配置されている請求項２に記載の回転清掃体。
【請求項４】
前記回転軸部の軸心方向から見た断面形状が凸形となるように、前記ストレートブラシが、一対の前記ブレード、一対の前記捲縮ブラシ、または前記ブレードと前記捲縮ブラシにて挟まれるように配置されている請求項２に記載の回転清掃体。
【請求項５】
前記清掃部は、前記回転軸部に螺旋方向に取り付けられている請求項１〜４のいずれか１つに記載の回転清掃体。
【請求項６】
電動送風機を内蔵する掃除機本体と、この掃除機本体と接続された吸込口体とを備え、
前記吸込口体は、床面に対向する集塵開口部を有する本体部と、前記集塵開口部に回転可能に取り付けられた請求項１〜５のいずれか１つに記載の回転清掃体とを有する電気掃除機。
【発明の詳細な説明】
【技術分野】
【０００１】
本発明は、回転清掃体、それを備えた電気掃除機用の吸込口体および電気掃除機に関する。
【背景技術】
【０００２】
従来の電気掃除機において、絨毯やマット上のゴミ取れ性を向上させるために、集塵開口部に回転可能に回転清掃体が設けられた吸込口体が広く用いられている。
【０００３】
従来の回転清掃体としては、回転軸部と、この回転軸部に螺旋方向に取り付けられたブレード、第１ブラシおよび第２ブラシとを備え、ブレード、第１ストレートブラシおよび第２ストレートブラシはそれぞれ中心角度１８０°の対向位置に一対配置されているものが提案されている（例えば、特許文献１参照）。
【０００４】
また、別の回転清掃体として、回転軸部と、この回転軸部に螺旋方向に取り付けられたブレードおよびストレートブラシとを備え、ブレードおよびストレートブラシはそれぞれ中心角度１８０°の対向位置に一対配置され、ストレートブラシの先端が糸材にて縛られているものが提案されている（例えば、特許文献２参照）。
【先行技術文献】
【特許文献】
【０００５】
【特許文献１】特許第４７４９２６３号公報
【特許文献２】特許第４８２５５６３号公報
【発明の概要】
【発明が解決しようとする課題】
【０００６】
特許文献１の回転清掃体の場合、第１および第２ストレートブラシに絨毯やマット上の髪の毛や糸屑等の繊維状ゴミが絡みついて回転清掃体にて巻き取られる。この際、繊維状ゴミが第１および第２ストレートブラシの根元まで入り込んで強く巻き付くため、回転清掃体から巻き付いた繊維状ゴミを除去し難いという問題がある。
【０００７】
特許文献２の回転清掃体の場合、ストレートブラシの先端が糸材にて縛られているため、ストレートブラシの根元まで繊維状ゴミが入り込み難く、そのため、回転清掃体に巻き付いた繊維状ゴミを除去することは容易となる。しかしながら、ストレートブラシのコシが固くなり過ぎるため、回転清掃体にて絨毯やマット上から繊維状ゴミを捕獲し難くなる（ゴミ取り性能が低下する）という問題や、ストレートブラシの製造コストが上昇するという問題がある。
【０００８】
本発明は、このような課題に鑑みてなされたものであり、絨毯やマット上の繊維状ゴミを十分に捕獲できると共に、巻き付いた繊維状ゴミを容易に除去することができる回転清掃体を提供することを主たる目的とする。また、本発明は、この回転清掃体を備えた吸込口体および電気掃除機を提供することをもう一つの目的とする。
【課題を解決するための手段】
【０００９】
かくして、本発明によれば、回転軸部と、該回転軸部の長手方向に設けられた清掃部とを備え、
前記清掃部は、前記回転軸部の軸心方向から見た断面形状が凹形または凸形となるように、複数の異なる清掃部材を組み合わせて構成されてなる回転清掃体が提供される。
【００１０】
また、本発明の別の観点によれば、電動送風機を内蔵する掃除機本体と、この掃除機本体と接続された吸込口体とを備え、
前記吸込口体は、床面に対向する集塵開口部を有する本体部と、前記集塵開口部に回転可能に取り付けられた前記回転清掃体とを有する電気掃除機が提供される。
【発明の効果】
【００１１】
本発明の回転清掃体において、前記清掃部は、回転軸部の軸心方向から見た断面形状が凹形または凸形となるように、複数の異なる清掃部材を組み合わせて構成されてなる。この場合、清掃部材としては、例えば、ストレートブラシ、捲縮ブラシ、ブレード、ブラシ付きブレード等の種類の異なる清掃部材を組み合わせて用いることができる。
【００１２】
これら複数の異なる清掃部材を用いて、回転清掃体の回転方向の上流側と下流側に径方向突出寸法の大きな清掃部材を配置し、かつそれらの間に突出寸法の小さな清掃部材を配置することにより、清掃部の前記断面形状を凹形とすることができる。この場合、例えば、髪の毛や糸屑等の繊維状ゴミのゴミ取り性に優れたストレートブラシを少なくとも上流側または下流側に配置することにより、繊維状ゴミがストレートブラシの根元まで入り込み難くなり、繊維状ゴミが回転清掃体に強く巻き付くことを抑制することができる。
【００１３】
あるいは、これら複数の異なる清掃部材を用いて、回転清掃体の回転方向の上流側と下流側に径方向突出寸法の小さな清掃部材を配置し、かつそれらの間に突出寸法の大きな清掃部材を配置することにより、清掃部の前記断面形状を凸形とすることができる。この場合、例えば、繊維状ゴミのゴミ取り性に優れたストレートブラシを上流側と下流側の間に配置することにより、繊維状ゴミがストレートブラシの根元まで入り込み難くなり、繊維状ゴミが回転清掃体に強く巻き付くことを抑制することができる。
【００１４】
この結果、回転清掃体のメンテナンスの際に、回転清掃体に巻き付いた繊維状ゴミを容易に除去することができ、回転清掃体のゴミ取り性を維持し易くなる。
【図面の簡単な説明】
【００１５】
【図１】本発明における電気掃除機の実施形態１を示す概略斜視図である。
【図２】実施形態１の電気掃除機に用いられる吸込口体を示す斜視図である。
【図３】図２の吸込口体の右側断面図である。
【図４】実施形態１の吸込口体に設けられた回転清掃体を示す斜視図である。
【図５（Ａ）】図４の回転清掃体の右側断面図である。
【図５（Ｂ）】図４の回転清掃体の概略右側断面図である。
【図５（Ｃ）】図４の回転清掃体における回転軸部の概略右側断面図である。
【図６】清掃部の変形例１（実施形態２）を示す概略右側断面図である。
【図７】清掃部の変形例２（実施形態３）を示す概略右側断面図である。
【図８】清掃部の変形例３（実施形態４）を示す概略右側断面図である。
【図９】清掃部の変形例４（実施形態５）を示す概略右側断面図である。
【図１０】清掃部の変形例５（実施形態６）を示す概略右側断面図である。
【図１１】清掃部の変形例６（実施形態７）を示す概略右側断面図である。
【発明を実施するための形態】
【００１６】
本発明の回転清掃体は、回転軸部と、該回転軸部の長手方向に設けられた清掃部とを備える。
そして、前記清掃部は、前記回転軸部の軸心方向から見た断面形状が凹形または凸形となるように、複数の異なる清掃部材を組み合わせて構成されてなる。
本発明の回転清掃体は次のように構成されてもよい。
【００１７】
前記複数の清掃部材が、ストレートブラシと、ブレードおよび捲縮ブラシの少なくとも一方とを含むようにしてもよい。
このようにすれば、髪の毛や糸屑等の繊維状ゴミの捕獲に優れたストレートブラシが、清掃部を構成する清掃部材として必ず含まれるため、絨毯やマット上の繊維状ゴミを十分に捕獲できる回転清掃体を得ることができる。
なお、本発明の回転清掃体において、ストレートブラシの代わりに、ブラシ付きブレードまたはループブラシ等の繊維状ゴミの捕獲に優れた清掃部材を用いてもよいが、コスト面からストレートブラシが好ましい。
【００１８】
前記回転軸部の軸心方向から見た断面形状が凹形となるように、前記捲縮ブラシが、一対の前記ストレートブラシ、または前記ブレードと前記ストレートブラシにて挟まれるように配置されてもよい。
このようにすれば、回転清掃体の回転方向の上流側または下流側にストレートブラシが配置された凹形の断面形状を有する清掃部を容易に得ることができる。この断面凹形の清掃部によれば、繊維状ゴミのゴミ取り性および回転清掃体に巻き付いた繊維状ゴミの除去容易性の両方がより向上する。
【００１９】
前記回転軸部の軸心方向から見た断面形状が凸形となるように、前記ストレートブラシが、一対の前記ブレード、または一対の前記捲縮ブラシ、または前記ブレードと前記捲縮ブラシにて挟まれるように配置されてもよい。
このようにすれば、回転清掃体の回転方向の上流側と下流側の間にストレートブラシが配置された凸形の断面形状を有する清掃部を容易に得ることができる。この断面凸形の清掃部によれば、繊維状ゴミのゴミ取り性および回転清掃体に巻き付いた繊維状ゴミの除去容易性の両方がより向上する。
【００２０】
また、前記清掃部は、前記回転軸部に螺旋方向に取り付けられてもよい。
【００２１】
以下、図面を参照しながら本発明の回転清掃体、それを備えた電気掃除機用の吸込口体および電気掃除機の実施形態について詳説する。
【００２２】
（実施形態１）
図１は本発明における電気掃除機の実施形態１を示す概略斜視図であり、図２は実施形態１の電気掃除機に用いられる吸込口体を示す斜視図であり、図３は図２の吸込口体の右側断面図である。
この電気掃除機１は、集塵部および電動送風機等を有する掃除機本体２と、ホース３および延長パイプ４を介して掃除機本体２と接続された吸込口体５とを備える。なお、ホース３のハンドル３ａには図示しない操作部が設けられている。
【００２３】
本発明の特徴は、吸込口体５に設けられた後述する回転清掃体６０（図４参照）にあり、その他の構成は特に限定されないため、主として回転清掃体およびそれを備えた吸込口体５について説明する。
【００２４】
吸込口体５は、全体の形状がＴ字形であり、床面Ｆに対向する集塵開口部５１ｘを有する本体部（ヘッド部）５１と、本体部５１の前端５１ａを覆うように設けられたバンパー５２と、本体部５１の後端５１ｂにおける長手方向の中間位置に揺動可能に連結されて延長パイプ４と接続されるネック部５３とを有する。
【００２５】
本体部５１は、複数の樹脂製フレーム部材から構成されており、その前端５１ａ側の下部には前記集塵開口部５１ｘが形成されると共に、集塵開口部５１ｘ内に前記回転清掃体６０が回転可能に設けられている。なお、本体部５１は樹脂製に限定されない。また、本体部５１の下部には車輪５１ｚ1およびローラ５１ｚ2が設けられると共に、本体部５１の後端５１ｂにはネック部５３の先端が嵌め込まれる略球形の連結凹部５１ｄが設けられている。
【００２６】
さらに、本体部５１の集塵開口部５１ｘの左右両側には、回転清掃体の後述する左右軸端部６１ｂ1、６１ｂ2の角形端部と係脱可能に係合する角形凹部を有する左右一対の係合軸部（図示省略）が回転可能に設けられている。また、本体部５１における右の係合軸部の近傍には、回転清掃体の後述する右軸端部６１ｂ2のギア部と噛合する図示しないギアおよびこれを回転駆動するモータが設けられている。
【００２７】
図４は実施形態１の吸込口体に設けられた回転清掃体を示す斜視図である。また、図５（Ａ）は図４の回転清掃体の右側断面図であり、図５（Ｂ）は図４の回転清掃体の概略右側断面図であり、図５（Ｃ）は図４の回転清掃体における回転軸部の概略右側断面図である。
回転清掃体６０は、回転軸部６１と、回転軸部６１の長手方向に設けられた一対の清掃部６２とを備えてなる。
【００２８】
回転軸部６１は、円筒形の軸本体６１ａと、軸本体６１ａの左右両端の開口部に嵌め込まれて固定される左軸端部６１ｂ1および右軸端部６１ｂ2とを有する。
【００２９】
軸本体６１ａは、その外周面に複数の凸条壁が螺旋方向に形成されることにより、隣接する２つの凸条壁の間に蟻溝が形成されている。実施形態１の場合、軸本体６１ａの軸心に対して中心角度４５°の間隔で第１〜第８の蟻溝６１ａ1〜６１ａ8が配置されている。また、中心角度０°と１８０°に位置する第１と第５の蟻溝６１ａ1、６１ａ5、第２と第６の蟻溝６１ａ2、６１ａ6、第３と第７の蟻溝６１ａ3、６１ａ7、第４と第８の蟻溝６１ａ4、６１ａ8は同じ形状に形成されている。
【００３０】
左軸端部６１ｂ1および右軸端部６１ｂ2は、軸本体６１ａの左右開口部に嵌め込まれる円筒部と、円筒部の外周面に設けられて軸本体６１ａの左右端面に当接する外鍔部と、円筒部の外端に設けられた角形端部とを有している。さらに、右軸端部６１ｂ2は、角形端部と外鍔部との間にギア部が設けられている。
【００３１】
このように構成された回転軸部６１の左右軸端部６１ｂ1、６１ｂ2は本体部５１の集塵開口部５１ｘの前記左右一対の係合軸部に係合すると共に、回転軸部６１のギア部は集塵開口部５１ｘの近傍の前記ギアと噛合する。このギアが前記モータにて回転することにより、回転軸部６１が回転する。なお、図３、図５（Ａ）および図５（Ｂ）において、矢印Ａは回転清掃体６０の回転方向を表している。
【００３２】
清掃部６２は、複数の異なる清掃部材を組み合わせて構成されている。実施形態１の場合、複数の清掃部材が、ブレード６２ａと、捲縮ブラシ６２ｂと、ストレートブラシ６２ｃとの３種類からなる。
ブレード６２ａは、ゴム、軟質塩化ビニール、熱可塑性ポリウレタンエラストマー等の弾性材料にて形成された帯形の清掃部材である。このブレード６２ａの基端縁には、回転軸部６１の第１および第５の蟻溝６１ａ1、６１ａ5と同等の断面形状を有する係止辺部が一体状に設けられており、この係止辺部が第１および第５の蟻溝６１ａ1、６１ａ5に挿入されることにより、ブレード６２ａが回転軸部６１に取り付けられている。
【００３３】
捲縮ブラシ６２ｂは、ストレートブラシ６２ｃよりも細くかつ縮れた捲縮糸がストレートブラシ６２ｃよりも高密度で基布に植設された断面扇形の清掃部材である。この捲縮ブラシ６２ｂの基布には、回転軸部６１の第２および第６の蟻溝６１ａ2、６１ａ6と同等の断面形状を有する係止辺部が一体状に設けられており、この係止辺部が第２および第６の蟻溝６１ａ2、６１ａ6に挿入されることにより、捲縮ブラシ６２ｂが回転軸部６１に取り付けられている。
【００３４】
ストレートブラシ６２ｃは、捲縮ブラシ６２ｂの捲縮糸よりも太くかつ剛性の大きいストレートなブラシ毛が基布に植設された清掃部材である。このストレートブラシ６２ｃの基布には、回転軸部６１の第３および第７の蟻溝６１ａ3、６１ａ7と同等の断面形状を有する係止辺部が一体状に設けられており、この係止辺部が第３および第７の蟻溝６１ａ3、６１ａ7に挿入されることにより、ストレートブラシ６２ｃが回転軸部６１に取り付けられている。
【００３５】
このように構成された実施形態１の清掃部６２において、捲縮ブラシ６２ｂが、ブレード６２ａとストレートブラシ６２ｃにて挟まれるように配置されている。この状態において、図５（Ａ）および（Ｂ）に示すように、捲縮ブラシ６２ｂの径方向突出寸法は、ブレード６２ａおよびストレートブラシ６２ｃの径方向突出寸法よりも短いため、実施形態１の清掃部６２の軸方向から見た断面形状は凹形である。
【００３６】
このように構成された実施形態１の回転清掃体６０において、清掃部６２は、回転軸部６１の軸心に対して中心角度９０°の範囲内に配置されていると共に、中心角度０°と１８０°の位置に一対配置されている。よって、一対の清掃部６２の間隔は中心角度９０°である。なお、清掃部６２が設けられる範囲としての中心角度θは９０°に限定されない。中心角度８０°〜１００°の範囲内が好ましい。そして、清掃部６２が２ヶ所の場合を図示しているが、清掃部６２が３ヶ所の場合には、中心角度６０°でも可能となる。
【００３７】
実施形態１の吸込口体５を備えた電気掃除機１による床面Ｆの清掃時、図３、図５（Ａ）および図５（Ｂ）に示すように、回転清掃体６０は矢印Ａ方向に回転し、清掃部６２におけるブレード６２ａ、捲縮ブラシ６２ｂおよびストレートブラシ６２ａがこの順に床面Ｆに接触する。
【００３８】
床面Ｆがフローリングである場合、ブレード６２ａにてフローリング上の塵埃を掻き上げることができると共に、ストレートブラシ６２ｃにて髪の毛や糸屑等の繊維状ゴミを掻き上げることができ、これらのゴミは集塵開口部５１ｘ内へ吸い込まれる。
床面Ｆが絨毯やマットである場合、ブレード６２ａにて床面Ｆ付近の塵埃を浮き上がらせることができる。また、捲縮ブラシ６２ｂおよびストレートブラシ６２ｃにて、塵埃を掻き出すと共に、繊維状ゴミを絡め取ることができる。このとき、繊維状ゴミの一部は集塵開口部５１ｘへ吸い込まれずに回転清掃体６０に巻き付くことがある。なお、回転する捲縮ブラシ６２ｂは、絨毯やマット等の床面Ｆに接触して吸込口体５に自走性を持たせることができる。
【００３９】
図５（Ｂ）において、二点鎖線は回転清掃体６０に巻き付いた繊維状ゴミＤを表している。１つの清掃部６２において、ブレード６２ａは繊維状ゴミＤの回転軸部６１への巻き付き防止に有効であり、捲縮ブラシ６２ｂはその根元に繊維状ゴミＤを入り込み難くさせる。ブレード６２ａおよび捲縮ブラシ６２ｂがストレートブラシ６２ｃの回転方向上流側に、かつ周方向に広い範囲で配置されることにより、回転清掃体６０に巻き付いた繊維状ゴミＤはストレートブラシ６２ｃの根元まで入り込み難くなる。また、清掃部６２に隙間Ｓが形成される。なお、回転清掃体６０に巻き付いた繊維状ゴミＤが絡みついて取れにくくなった場合には、隙間Ｓにはさみなどの先端を挿入して切断をすることで容易に取ることができる。
【００４０】
また、一方の清掃部６２のブレード６２ａと他方の清掃部６２の捲縮ブラシ６２ｂによって、回転清掃体６０に巻き付いた繊維状ゴミＤは回転軸部６１に直接接し難くなる。これにより、回転軸部６１と繊維状ゴミＤとの間に隙間Ｓが形成され、このことによっても繊維状ゴミＤがストレートブラシ６２ｃの根元まで入り込み難くなる。
これらの結果、繊維状ゴミＤの回転軸部６１への巻き付き力が緩和され、繊維状ゴミＤの除去が容易となる。
【００４１】
なお、実施形態１（図１）では、集塵部に紙パックおよびフィルターを有する旧式の掃除機本体２を備えた電気掃除機を例示したが、掃除機本体はサイクロン方式でもよい。あるいは、ハンドルを有する掃除機本体をユーザーが持ち上げて掃除できるタイプの電気掃除機にも本発明の吸込口体を適用してもよい。
【００４２】
本発明において、回転清掃体６０の清掃部６２は、実施形態１に限定されず、以下の図６〜図１１に示す実施形態２〜７のように構成されてもよい。実施形態２〜７のように清掃部を構成しても、繊維状ゴミが回転軸部に強く巻き付き難い回転清掃体を得ることができる。なお、実施形態２〜７において、その他の構成は実施形態１と同様である。
【００４３】
（実施形態２）
図６は清掃部の変形例１（実施形態２）を示す概略右側断面図である。図６において、図５（Ｂ）中の要素と同様の要素には同一の符号を付している。
【００４４】
実施形態２の回転清掃体１６０の場合、清掃部１６２は、回転軸部６１の回転方向の上流側からストレートブラシ６２ｃ、捲縮ブラシ６２ｂおよびブレード６２ａがこの順で配置されることにより、軸方向から見て断面形状が凹形に形成されている。
【００４５】
（実施形態３）
図７は清掃部の変形例２（実施形態３）を示す概略右側断面図である。なお、図７において、図５（Ｂ）中の要素と同様の要素には同一の符号を付している。
実施形態３の回転清掃体２６０の場合、清掃部２６２は、回転軸部６１の回転方向の上流側からストレートブラシ６２ｃ、捲縮ブラシ６２ｂおよびストレートブラシ６２ｃがこの順で配置されることにより、軸方向から見て断面形状が凹形に形成されている。
【００４６】
（実施形態４）
図８は清掃部の変形例３（実施形態４）を示す概略右側断面図である。なお、図８において、図５（Ｂ）中の要素と同様の要素には同一の符号を付している。
実施形態４の回転清掃体３６０の場合、清掃部３６２は、回転軸部６１の回転方向の上流側から捲縮ブラシ６２ｂ、ストレートブラシ６２ｃおよびブレード６２ａがこの順で配置されることにより、軸方向から見て断面形状が凸形に形成されている。
【００４７】
（実施形態５）
図９は清掃部の変形例４（実施形態５）を示す概略右側断面図である。なお、図９において、図５（Ｂ）中の要素と同様の要素には同一の符号を付している。
実施形態５の回転清掃体４６０の場合、清掃部４６２は、回転軸部６１の回転方向の上流側からブレード６２ａ、ストレートブラシ６２ｃおよび捲縮ブラシ６２ｂがこの順で配置されることにより、軸方向から見て断面形状が凸形に形成されている。
【００４８】
（実施形態６）
図１０は清掃部の変形例５（実施形態６）を示す概略右側断面図である。なお、図１０において、図５（Ｂ）中の要素と同様の要素には同一の符号を付している。
実施形態６の回転清掃体５６０の場合、清掃部５６２は、回転軸部６１の回転方向の上流側から捲縮ブラシ６２ｂ、ストレートブラシ６２ｃおよび捲縮ブラシ６２ｂがこの順で配置されることにより、軸方向から見て断面形状が凸形に形成されている。
【００４９】
（実施形態７）
図１１は清掃部の変形例６（実施形態７）を示す概略右側断面図である。なお、図１１において、図５（Ｂ）中の要素と同様の要素には同一の符号を付している。
実施形態７の回転清掃体６６０の場合、清掃部６６２は、回転軸部６１の回転方向の上流側からブレード６２ａ、ストレートブラシ６２ｃおよびブレード６２ａがこの順で配置されることにより、軸方向から見て断面形状が凸形に形成されている。
【符号の説明】
【００５０】
１  電気掃除機
２  掃除機本体
３  ホース
４  延長パイプ
５  吸込口体
５１  本体部
５１ａ  前端
５１ｘ  集塵開口部
５２  バンパー
６０、１６０、２６０、３６０、４６０、５６０、６６０  回転清掃体
６１  回転軸部
６２、１６２、２６２、３６２、４６２、５６２、６６２  清掃部
６２ａ  ブレード（清掃部材）
６２ｂ  捲縮ブラシ（清掃部材）
６２ｃ  ストレートブラシ（清掃部材）
Ｄ  繊維状ゴミ
Ｆ  床面
Ｓ  隙間
θ  中心角度
【図１】
2014042581.tif 000003
【図２】
2014042581.tif 000004
【図３】
2014042581.tif 000005
【図４】
2014042581.tif 000006
【図５】
2014042581.tif 000007
【図６】
2014042581.tif 000008
【図７】
2014042581.tif 000009
【図８】
2014042581.tif 000010
【図９】
2014042581.tif 000011
【図１０】
2014042581.tif 000012
【図１１】
2014042581.tif 000013